(57)【要約】      （修正有）【課題】大規模な組織に基づいた情報収集を必要とすることなく、用途に応じて必要となる情報量を有した利用価値の高い地図に関する情報を提供する。【解決手段】位置情報流通システムＳは、地図上の点、線、面の少なくともいずれか１つを特定する位置情報を流通させる。前記位置情報を生成するための情報生成部と、多数の前記位置情報を蓄積するための情報蓄積部と、前記位置情報を地図上に表示するための情報表示部とを備える。また、前記情報生成部を備える複数の提供端末１と、前記情報表示部を備える複数の利用端末２と、インターネット網を介して前記提供端末および前記利用端末に接続され、かつ、前記情報蓄積部を備える位置情報流通装置３とを含み、前記提供端末から前記利用端末に前記位置情報流通装置を介して、複数の前記位置情報を流通させる。【選択図】図１
2017126234.tif 000002
【特許請求の範囲】
【請求項１】
地図上の点、線、面の少なくともいずれか１つを特定する位置情報を流通させるための位置情報流通システムであって、
前記位置情報を生成するための情報生成部と、多数の前記位置情報を蓄積するための情報蓄積部と、前記位置情報を地図上に表示するための情報表示部とを備え、
また、前記情報生成部を備える複数の提供端末と、前記情報表示部を備える複数の利用端末と、インターネット網を介して前記提供端末および前記利用端末に接続され、かつ前記情報蓄積部を備える位置情報流通装置とを含み、
前記提供端末から前記利用端末に前記位置情報流通装置を介して、複数の前記位置情報を流通させる、位置情報流通システム。
【請求項２】
複数の前記位置情報を含む加工情報を生成する情報加工部を備え
前記情報表示部は、複数の前記位置情報を含む１つの前記加工情報を１つの仮想的なレイヤーとして管理し、複数の前記レイヤーを投影することで、前記位置情報を表示する、請求項１に記載の位置情報流通システム。
【請求項３】
複数の前記加工情報を含む編纂情報を生成する情報編纂部を備え、
前記利用端末は、前記編纂情報が閲覧可能に構成され、前記編纂情報から所望の加工情報が取得可能に構成される、請求項２に記載の位置情報流通システム。
【請求項４】
前記提供端末は前記情報加工部を備え、
前記位置情報流通装置は前記情報編纂部を備え、
前記情報蓄積部は、前記位置情報を含む複数の前記加工情報を前記編纂情報として蓄積する、請求項３に記載の位置情報流通システム。
【請求項５】
前記情報生成部は、住所が入力されることで前記位置情報が生成される、請求項１〜４のいずれか一項に記載の位置情報流通システム。
【請求項６】
前記提供端末は、衛星測位システムを備える携帯型端末である、請求項１〜５のいずれか一項に記載の位置情報流通システム。
【請求項７】
前記利用端末は、衛星測位システムを備える携帯型端末である、請求項１〜６のいずれか一項に記載の位置情報流通システム。
【請求項８】
前記情報通信装置は、さらに、
流通する前記位置情報に対して対価を決定する対価決定部と、
前記提供端末の使用者に位置情報の対価を入金する指示を出す入金指示部と、
前記利用端末の使用者に前記位置情報の対価を課金する指示を出す課金指示部とを備える、請求項１〜７のいずれか一項に記載の位置情報流通システム。
【請求項９】
地図上の点、線、面の少なくともいずれか１つを特定する位置情報を流通させるための位置情報流通位置情報流通方法であって、
複数の提供端末と、複数の利用端末と、前記提供端末および利用端末にインターネットを介して接続する位置情報流通装置を含む位置情報流通システムにおいて、
各提供端末が前記位置情報を生成し、
前記位置情報流通装置が、生成された前記位置情報を蓄積し、
各利用端末が前記位置情報を表示することにより、
前記提供端末から前記利用端末に前記位置情報流通装置を介して、複数の前記位置情報を流通させる、位置情報流通方法。
【発明の詳細な説明】
【技術分野】
【０００１】
本発明は、地図上の点、線、面の少なくともいずれか１つを特定する位置情報を流通させるため位置情報流通システムおよび位置情報流通方法に関し、特に、インターネットのような公衆回線を介しての位置情報の流通に関する。
【背景技術】
【０００２】
近年、ＰＣ（Ｐｅｒｓｏｎａｌ  Ｃｏｍｐｕｔｅｒ）のような情報処理装置に関する技術の進歩によって、従来は主に紙媒体で作成、利用されていた地図も情報処理装置により電子データとして作成、利用されるようになっている。
【０００３】
ところで、紙媒体、電子データに限らず、地図は、従来、行政機関のような大規模な組織が地図の作製に必要な情報を収集し、収集された情報を特定の企業が編集することにより作成され、一般利用者に提供されてきた（例えば、特許文献１を参照）。また、近年では、電子データの地図が一般利用者へ普及していることを背景として、情報処理装置に関わる大規模な企業が、自社で地図の作成に必要な情報を収集し、編集することにより、情報処理装置用の地図を作成する企業も現れてきた（例えば、特許文献２を参照）。
【０００４】
また、電子データの地図を利用したものには、特許文献３に記載されたような業務支援システムもある。この業務支援システムは、営業訪問の業務を支援すべく、自社内の訪問先データベースに蓄積された訪問先の住所を緯度経度に変換したうえで、自社の社員が所有するモバイル機器に提供し、モバイル機器上で訪問先の位置を電子データの地図に反映させるものである。すなわち、位置情報を社内で作成し、利用しようとするものである。
【先行技術文献】
【特許文献】
【０００５】
【特許文献１】特開２００２−３３３８２８号公報
【特許文献２】特開２０１４−８９４５１号公報
【特許文献３】特開２０１４−２１１６７号公報
【発明の概要】
【発明が解決しようとする課題】
【０００６】
しかし、特許文献３の業務支援システムは、社内のデータベースの位置情報を自社の社員に提供するもので、利用できる位置情報は社内データベースに蓄積された情報量に限定される。すなわち、社内データベースに蓄積された情報には限りがあり、企業の規模によっては必要な情報量を確保できず、利便性の低い情報しか提供できないという問題があった。
【０００７】
一方、特許文献１または特許文献２で作成される地図は、大規模な組織が情報収集を行うため、目的とした地図作成に必要十分の情報量を確保はできるが、情報収集に掛かる費用も膨大なものとなるという問題点があった。また、地図作成には目的とする用途に応じた情報を収集する必要があるが、いかに企業規模が大きくとも、あらゆる用途に応じた情報を収集することはできず、あらゆる用途の地図に応じて必要となる情報量を確保することは困難となる問題点があった。
【０００８】
本発明は、上記のような問題を解決するためになされたものであり、大規模な組織に基づいた情報収集を必要とすることなく、用途に応じて必要となる情報量を有した利用価値の高い地図に関する情報（以下、「地図情報」とも称する。）を提供することを目的とする。
【課題を解決するための手段】
【０００９】
本発明に係る位置情報流通システムは、地図上の点、線、面の少なくともいずれか１つを特定する位置情報を流通させる。前記位置情報流通システムは、前記位置情報を生成するための情報生成部と、多数の前記位置情報を蓄積するための情報蓄積部と、前記位置情報を地図上に表示するための情報表示部とを備え、また、前記情報生成部を備える複数の提供端末と、前記情報表示部を備える複数の利用端末と、インターネット網を介して前記提供端末および前記利用端末に接続され、かつ前記情報蓄積部を備える位置情報流通装置とを含み、前記提供端末から前記利用端末に前記位置情報流通装置を介して、複数の前記位置情報を流通させる。
【００１０】
本発明に係る位置情報流通システムによれば、位置情報を生成する位置情報生成部を備える複数の提供端末がインターネットを介して位置情報流通装置に接続されており、また、位置情報を表示する位置情報表示部を備える利用端末がインターネットを介して位置情報流通装置に接続されている。これにより、位置情報流通装置は、各提供端末のユーザから複数の位置情報を取得し、取得した位置情報を利用端末に提供することにより、位置情報を流通させることができる。
【００１１】
ここで、位置情報とは、地図上の点、線および面の少なくともいずれか１つを特定する情報であり、例えば、住所を入力することで生成することができる。したがって、位置情報は誰にでも容易に生成できる地図情報である。一方で、位置情報は、多くの情報を収集し加工または編集、編纂することで利用価値の高い地図情報となる。
【００１２】
したがって、本発明に係る位置情報流通システムによれば、各提供端末のユーザが容易に複数の位置情報を生成し、位置情報流通装置が複数の提供端末のユーザから位置情報を取得することにより、非常に多数の位置情報を収集することができる。そして、収集した位置情報を加工または編集、編纂することで利用価値の高い地図情報を利用端末のユーザに提供することができる。
【００１３】
また、位置情報流通装置の情報蓄積部には、多数の提供端末から収集される非常に膨大な位置情報を蓄積できるため、収集された情報から収集目的と異なる用途に利用できる位置情報を取り出し、収集目的と異なる用途の地図を作成することもできる。
【００１４】
前記した位置情報流通システムは、複数の前記位置情報を含む加工情報を生成する情報加工部を備えていてもよく、前記情報表示部は、複数の前記位置情報を含む１つの前記加工情報を１つの仮想的なレイヤーとして管理し、複数のレイヤーを投影することで、前記位置情報を表示してもよい。そのような位置情報流通システムによれば、複数の位置情報がまとめられた加工情報として流通するため、情報の利便性が高まり、情報の管理も容易になる。
【００１５】
前記した位置情報流通システムは、複数の前記加工情報を含む編纂情報を生成する情報編纂部を備えていてもよく、前記利用端末は、前記編纂情報が閲覧可能に構成され、前記編纂情報から所望の加工情報が取得可能に構成されていてもよい。そのような位置情報流通システムによれば、複数の位置情報を含む複数の加工情報が編纂された編纂情報として流通するため、多数の位置情報から必要なものを容易に選択して利用できる。したがって、情報の利便性が高まる。
【００１６】
前記した位置情報流通システムにおいて、前記提供端末は前記情報加工部を備え、前記位置情報流通装置は前記情報編纂部を備え、前記情報蓄積部は、前記位置情報を含む複数の前記加工情報を前記編纂情報として蓄積する。そのような位置情報流通システムによれば、提供端末で加工された複数の加工情報を編纂情報として位置情報流通システムで蓄積する。これにより、位置情報流通装置にアクセスすれば、それら多数の加工情報が編纂された状態で閲覧できる。したがって、多数の位置情報から必要な位置情報を容易に選択して利用できるため、情報の利便性が格段に高まる。
【００１７】
前記した位置情報流通システムにおいて、前記情報生成部は、住所が入力されることで前記位置情報が生成されてもよい。そのようにすれば、容易に位置情報を生成できるため、多数の位置情報を容易に収集できる。
【００１８】
前記した位置情報流通システムにおいて前記提供端末は、衛星測位システムを備える携帯型端末であってもよい。提供端末が携帯型端末であれば、端末のユーザは、あらゆる場所に提供端末を携帯でき、衛星測位システムにより、ユーザが在する場所で、その場所に関する位置情報を容易に提供できる。また、前記利用端末は、衛星測位システムを備える携帯型端末であってもよい。利用端末が携帯型端末であれば、端末のユーザは、あらゆる場所に利用端末を携帯でき、衛星測位システムにより、ユーザが在する場所で、その場所に関する位置情報を容易に利用できる。
【００１９】
前記した位置情報流通システムにおいて、前記情報通信装置は、さらに、流通する前記位置情報に対して対価を決定する対価決定部と、前記提供端末の使用者に位置情報の対価を入金する指示を出す入金指示部と、前記利用端末の使用者に前記位置情報の対価を課金する指示を出す課金指示部とを備えていてもよい。
【００２０】
そのような位置情報流通システムによれば、位置情報の流通が売買という形で行われ、提供端末の使用者が情報提供することにインセンティブが生まれ、位置情報の流通が活発になり、位置情報流通装置が収集できる情報が格段に多くなり、情報の利便性も高まる。
【００２１】
本発明に係る位置情報流通方法は、地図上の点、線、面の少なくともいずれか１つを特定する位置情報を流通させるための位置情報流通位置情報流通方法であって、複数の提供端末と、複数の利用端末と、前記提供端末および利用端末にインターネットを介して接続する位置情報流通装置を含む位置情報流通システムにおいて、各提供端末が前記位置情報を生成し、前記位置情報流通装置が、生成された前記位置情報を蓄積し、各利用端末が前記位置情報を表示することにより、前記提供端末から前記利用端末に前記位置情報流通装置を介して、複数の前記位置情報を流通させる。
【００２２】
本発明に係る位置情報流通方法によれば、位置情報を生成する複数の提供端末がインターネットを介して位置情報流通装置に接続されており、また、位置情報を表示する複数の利用端末がインターネットを介して位置情報流通装置に接続されている。これにより、位置情報流通装置は、各提供端末のユーザから複数の位置情報を取得し、取得した位置情報を利用端末に提供することにより、位置情報を流通させることができる。
【００２３】
位置情報は、地図上の位置を特定するための情報であり、誰にでも容易に生成できる。一方で、位置情報は、多くの情報を収集し加工することで利用価値の高い地図情報となる。したがって、本発明に係る位置情報流通方法では、各提供端末のユーザが容易に複数の位置情報を生成し、位置情報流通装置が複数の提供端末のユーザから位置情報を収集することにより、非常に多くの位置情報を収集することがきる。これにより、位置情報流通装置は、収集した位置情報を加工することで利用価値を高めた加工情報を利用端末のユーザに提供することができる。
【００２４】
また、本発明に係る位置情報流通方法によれば、位置情報流通装置には、非常に膨大な位置情報が収集および蓄積されるため、収集された情報から収集目的と異なる用途に利用できる位置情報を取り出し、収集目的と異なる用途の地図を作成することもできる。
【発明の効果】
【００２５】
本発明に係る位置情報流通システムは、大規模な組織に基づいた情報収集を必要とすることなく、用途に応じて必要となる情報量を有した利用価値の高い地図情報を提供することができる。
【図面の簡単な説明】
【００２６】
【図１】本発明の実施の形態に係る位置情報流通システムの運用形態を示す図である。
【図２】本実施の形態に係る位置情報流通システムにおける情報処理装置のハードウエア構成を模式的に示すブロック図である。
【図３】本実施の形態に係る位置情報流通システムにおける端末の機能ブロックを示す図である。
【図４】本実施の形態に係る位置情報流通システムにおける位置情報流通装置の機能ブロックを示す図である。
【図５】本実施の形態に係る位置情報流通システムにおける提供端末の機能構成を示す図である。
【図６】本実施の形態に係る位置情報流通システムにおける利用端末の機能構成を示す図である。
【図７】本実施の形態に係る位置情報流通システムにおける位置情報流通装置の機能構成を示す図である。
【図８】本実施の形態に係る位置情報流通システムにおいて、位置情報が、提供端末で生成され、位置情報流通装置に提供されるまでの流れを示すシーケンス図である。
【図９】本実施の形態に係る位置情報流通システムの提供端末で表示されるラーメン店情報入力画面を示す図である。
【図１０】本実施の形態に係る位置情報流通システムの提供端末において、位置情報がリスト化されて記録されたリスト情報を示す図である。
【図１１】本実施の形態に係る位置情報流通システムの提供端末から提供される提供マップ情報を示す図である。
【図１２】本実施の形態に係る位置情報流通システムの位置情報流通装置において、位置情報が加工された加工情報を示す図である。
【図１３】本実施の形態に係る位置情報流通システムにおいて、位置情報が、位置情報流通装置から利用端末に送信され、表示されるまでの流れを示すシーケンス図である。
【図１４】本実施の形態に係る位置情報流通システムの位置情報流通装置において、提供マップ情報が一覧に編纂されたマップタイトルの一覧を示す図である。
【図１５】本実施の形態に係る位置情報流通システムの利用端末において、表示情報が表示された地図を示す図である。
【図１６】本実施の形態に係る位置情報流通システムの利用端末において、複数のレイヤーによって表示情報が地図に投影される概念を示す図である。
【発明を実施するための形態】
【００２７】
本明細書において、位置情報とは、地図上の点、線および面の少なくともいずれか１つを特定する情報を意味する。地図上の点は、例えば、住所、緯度経度のような座標、マップコードのようなコード等の情報により特定できる。また、地図上の線は、点の連続、点と点の繋がり等の情報により特定できる。さらに、地図上の面は、点の集合、線により囲まれた領域等の情報により特定できる。
【００２８】
また、表示情報とは、地図上に表示される特定の点情報、線情報、面情報を意味する。例えば、点情報としては地図上で一点を示すピン等、線情報としては地図上で道順、経路等、面情報としては地図上で範囲、領域等を示す情報意味する。さらに、地図情報とは、地図に関する情報を意味し、位置情報、位置情報に付加される付加情報、表示情報等は、地図情報に包含される。
【００２９】
本発明の実施の形態に係る位置情報流通システムＳついて、図面を参照して詳細に説明する。本発明の実施の形態に係る位置情報流通システムＳは、位置情報の一般ユーザ（情報の提供者）から一般ユーザ（情報の利用者）に情報を流通させる。しかし、位置情報流通システムＳは、情報の販売を生業とする情報販売業者のような専門ユーザから一般ユーザに情報を流通させてもよい。
【００３０】
図１は、本実施の形態に係る位置情報流通システムＳの運用形態の概念を示す図である。図１に示すように、本実施の形態に係る位置情報流通システムＳは、複数の提供端末１と、複数の利用端末２と、位置情報流通装置３を含み、複数の端末１および複数の利用端末２と位置情報流通装置３はインターネット４を介して接続されている。複数の提供端末１および複数の利用端末２は一般ユーザまたは専門ユーザに所有され、位置情報流通装置３は情報流通システムの管理者に所有される。
【００３１】
本実施の形態において、位置情報流通システムＳは、主に、ラーメン店に関する情報（以下、「ラーメン店情報」とも称する。）を流通させる。しかし、位置情報流通システムＳは、他の情報を流通させてもよい。例えば、位置情報流通システムＳは、ラーメン店のような飲食店に関する情報の他に、パン屋に関する情報、商店街に関する情報、学校に関する情報、宿泊施設に関する情報、観光地に関する情報、避難場所に関する情報、選挙に関する情報等を流通させてもよい。
【００３２】
本実施の形態において、提供端末１および利用端末２は、主に、スマートフォン、タブレット端末、ノートＰＣ等の携帯型の情報処理装置（以下、「携帯型端末」とも称す。）であるが、デスクトップＰＣ等の固定型の情報処理装置（以下、「固定型端末」とも称す。）であってもよい。提供端末１および利用端末２は、従来よく知られる、地図を表示するためのアプリケーションプログラム（以下、「地図アプリ」とも称す。）をインストールされており、後述する表示装置に地図を表示することができる。本実施の形態において、提供端末１と利用端末２が別々の端末として表現されているが、１つの端末が提供端末および利用端末として機能してもよい。
【００３３】
位置情報流通装置３は、サーバーとして機能する情報処理装置であり、大量の位置情報を蓄積し、必要な位置情報を適宜取り出し利用することができる。位置情報流通装置３は、提供端末１および利用端末２と同様に、地図アプリをインストールされており、後述する表示装置に地図を表示することができる
【００３４】
図２は、本実施の形態に係る位置情報流通システムＳにおける情報処理装置のハードウエア構成を模式的に示すブロック図である。本実施の形態に係る位置情報流通システムＳに含まれる種々の情報処理装置、すなわち提供端末１、利用端末２および位置情報流通装置３は、ハードウエア構成として図２に示すように、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０、およびＩ／Ｆ５０を含み、それぞれがバスを介して接続されている。また、Ｉ／Ｆ５０には表示装置６０および操作装置７０が接続されている。
【００３５】
ＣＰＵ１０は、従来よく知られる演算手段であり、情報処理装置全体の動作を制御する。ＲＡＭ２０は、情報の読み書きを高速で行う揮発性の記憶媒体であり、ＣＰＵ１０が情報を処理する際の作業領域として機能する。ＲＯＭ３０は、読み出し専用の不揮発性記憶媒体であり、ファームウエア等のプログラムが格納されている。
【００３６】
ＨＤＤ４０は、情報の読み書きを行う不揮発性の記憶媒体であり、ＯＳ（Ｏｐｅｒａｔｉｎｇ  Ｓｙｓｔｅｍ）や各種の制御プログラム、アプリケーション等が格納される。情報処理装置の各ハードウエア構成は、位置情報流通システムＳが機能するように情報を適切に処理できればよく、他のハードウエア構成（例えば、ＳＳＤ（Ｓｏｌｉｄ  Ｓｔａｔｅ  Ｄｒｉｖｅ））で代替されてもよい。
【００３７】
Ｉ／Ｆ５０は、バスと各種のハードウエアやネットワーク等を接続し、制御する。表示装置６０は、ＬＣＤ（Ｌｉｑｕｉｄ  Ｃｒｙｓｔａｌ  Ｄｉｓｐｌａｙ）のようなユーザが情報処理装置の状態を確認するためのユーザインターフェースである。操作装置７０は、キーボード、マウス、各種のハードボタン、タッチパネル等、ユーザが情報処理装置を操作するためのユーザインターフェースである。
【００３８】
このようなハードウエア構成において、ＲＯＭ３０、ＨＤＤ４０または光ディスク等の記憶媒体に格納されたプログラムがＲＡＭ２０に読み出され、ＣＰＵ１０がそれらのプログラムに従って演算を行うことにより、ソフトウエア制御部が構成される。そのようなソフトウエア制御部とハードウエアとの組み合わせによって、本実施の形態に係る位置情報流通システムＳを実現する情報処理装置の機能ブロックが構成される。
【００３９】
図３は、本実施の形態に係る位置情報流通システムＳにおける提供端末１および利用端末２の機能ブロックを示す図である。本実施の形態に係る提供端末１または利用端末２は、図３に示すように、先に説明したＨＤＤ４０、表示装置６０、操作装置７０に加え、ネットワークＩ／Ｆ８０およびコントローラ９２を含む。
【００４０】
また、コントローラ９２は、記録制御部４２、表示制御部６２、操作制御部７２、ネットワーク制御部８２、および位置情報提供アプリケーション（以下、「位置情報提供アプリ」とも称する。）１００または位置情報利用アプリケーション（以下、「位置情報利用アプリ」とも称する。）２００を含む。
【００４１】
ネットワークＩ／Ｆ８０は、提供端末１がネットワークを介して他の機器と通信するための通信インターフェースである。コントローラ９２は、ソフトウエアとハードウエアとの組み合わせによって構成される。コントローラ９２は、端末全体を制御する制御部である。
【００４２】
ネットワーク制御部８２は、ネットワークＩ／Ｆ８０を介して入力される情報を受信すると共に、ネットワークＩ／Ｆ８０を介して他の機器に送信する。また、操作制御部７２は、操作装置７０に対するユーザによる操作内容の信号を取得し、位置情報提供アプリ１００等の、端末において動作するモジュールに入力する。表示制御部６２は、位置情報提供アプリ１００または位置情報利用アプリ２００のＧＵＩ（Ｇｒａｐｈｉｃａｌ  Ｕｓｅｒ  Ｉｎｔｅｒｆａｃｅ）等により端末の状態を表示装置６０に表示させる。
【００４３】
位置情報提供アプリ１００および位置情報利用アプリ２００は、それぞれ、本実施の形態に係る位置情報流通システムＳの機能を提供端末１および利用端末２において作動させるために、各端末にインストールされて動作するソフトウエアプログラムによって構成される。位置情報提供アプリ１００および位置情報利用アプリ２００は、例えば、位置情報流通装置３から取得することができる。
【００４４】
図４は、本実施の形態に係る位置情報流通システムＳにおける提供端末１の機能構成を示す図である。位置情報提供アプリ１００が端末１にインストールされて動作することにより、図３に示す機能ブロックが共同して、図４に示すように、記憶部１４０、表示部１６０、操作部１７０、情報生成部１７２、情報加工部１７４、送信部１８０および受信部１８２が構成される。
【００４５】
操作部１７０は、提供ユーザが提供端末１を操作して、例えば、種々の情報を入力したり、選択肢を選択できるように機能する。情報生成部１７２は、提供端末１のユーザ（以下、「提供ユーザ」とも称する。）の操作により位置情報を生成する。例えば、後述するように、操作装置７０を用いて住所を入力することにより地図上の点が特定され、これにより、情報生成部１７２が位置情報を生成する。情報加工部１７４は、複数の位置情報を含む加工情報を生成する。本実施の形態において、情報加工部１７４は、後述するように、複数の位置情報を付加情報とともに１つのまとまりとした提供マップ情報に加工する（図１１を参照）。
【００４６】
記憶部１４０は、提供端末１で生成された位置情報、加工情報等を記憶するように機能する。また、位置情報提供アプリ１００のような他の情報処理装置から取得したアプリケーション等も記憶するように機能する。表示部１６０は、表示装置６０に種々の情報を表示するように機能する。また、送信部１８０および受信部１８２は、それぞれ、提供端末１から情報を送信したり、提供端末１に情報を受信するように機能する。
【００４７】
図５は、本実施の形態に係る位置情報流通システムＳにおける利用端末２の機能構成を示す図である。位置情報利用アプリ２００が利用端末２にインストールされて動作することにより、図３に示す機能ブロックが共同して、図５に示すように、記憶部２４０、情報変換部２５０、情報表示部２６０、操作部２７０、送信部２８０および受信部２８２が構成される。
【００４８】
情報変換部２５０は、位置情報を地図に表示する表示情報に変換する。例えば、点をピンとして地図上に表示し、線を経路として地図上に表示し、面を領域として地図上に表示する。また、操作部２７０は、利用端末２のユーザ（以下、「利用ユーザ」とも称する。）が利用端末２を操作し、例えば、種々の情報を入力したり、選択肢を選択できるように機能する。
【００４９】
情報表示部２６０は、表示装置６０に種々の情報を表示するように機能する。また、送信部２８０および受信部２８２は、それぞれ、利用端末２から情報を送信したり、利用端末２に情報を受信するように機能する。記憶部２４０は、利用端末２が取得する位置情報、加工情報等の受信した情報に加え、位置情報が変換された表示情報を記憶するように機能する。また、位置情報利用アプリ２００のような他の情報処理装置から取得したアプリケーション等も記憶するように機能する。
【００５０】
図６は、本実施の形態に係る位置情報流通システムＳにおける位置情報流通装置３の機能ブロックを示す図である。本実施形態に係る位置情報流通装置３は、図６に示すように、先に説明したＨＤＤ４０、表示装置６０、操作装置７０に加えて、コントローラ９４およびネットワークＩ／Ｆ８０を含む。コントローラ９４は、表示制御部６４、操作制御部７４、ネットワーク制御部８４および位置情報流通アプリケーション（以下、「位置情報流通アプリ」とも称する。）３００を含む。また、位置情報流通装置３では、サーバーとして機能する大容量のＨＤＤが設けられている。
【００５１】
操作制御部７４は、操作装置７０に対する管理者による操作内容の信号を取得し、位置情報流通アプリ３００等の、情報処理装置において動作するモジュールに入力する。表示制御部６４は、位置情報流通アプリ３００のＧＵＩ（Ｇｒａｐｈｉｃａｌ  Ｕｓｅｒ  Ｉｎｔｅｒｆａｃｅ）等により位置情報流通装置３の状態を表示装置６０に表示させる。
【００５２】
ネットワークＩ／Ｆ８０は、位置情報流通装置３がネットワークを介して他の機器と通信するためのインターフェースであり、コントローラ９４は、ソフトウエアとハードウエアとの組み合わせによって構成される。コントローラ９４は、位置情報流通装置３全体を制御する制御部である。ネットワーク制御部８４はネットワークＩ／Ｆ８０を介して入力される情報を取得すると共に、ネットワークＩ／Ｆ８０を介して他の機器に情報を送信する。
【００５３】
位置情報流通アプリ３００は、本実施の形態に係る位置情報流通システムＳの機能を実現するために、位置情報流通装置３にインストールされて動作するソフトウエアプログラムによって構成される。位置情報流通アプリ３００は、位置情報をＨＤＤ４０（情報蓄積部）に蓄積したり、作業者の操作により、または自動的に他のソフトウエアプログラムに従って、位置情報を加工または編集、編纂する。
【００５４】
また、位置情報流通アプリ３００は、位置情報を表示情報に変換する後述の情報変換部としても機能する。位置情報を表示情報に変換する方法として、例えば、住所をピンのような点情報として表示するように変換する情報変換方法がある（例えば、特開２０１４−２１１６７号公報を参照）。
【００５５】
図７は、本実施の形態に係る位置情報流通システムＳにおける位置情報流通装置３の機能構成示す図である。本実施形態に係る位置情報流通装置３では、位置情報流通アプリ３００が情報処理装置にインストールされて動作することにより、図６に示す機能ブロックが共同して、図７に示すように、情報蓄積部３４０、情報編纂部３５０、表示部３６０、操作部３７０、送信部３８０および受信部３８２が構成される。また、これらに加え、対価決定部３０２、入金指示部３０４、課金指示部３０６が構成される。
【００５６】
情報編纂部３５０は、複数の加工情報の少なくとも一部の情報を含む編纂情報を生成する。本実施の形態において、加工情報である複数の提供マップ情報が編纂され、提供マップ情報に含まれるマップタイトルが抽出されたマップタイトル一覧として編纂情報が生成される（図１４参照）。情報蓄積部３４０は、位置情報流通システム３が取得した位置情報、付加情報、加工情報等の情報に加え、生成された編纂情報を蓄積する。
【００５７】
操作部３７０は、位置情報流通装置３の管理者（以下、単に「管理者」とも称する。）が位置情報流通装置３を操作し、例えば、種々の情報を入力したり、選択肢を選択できるように機能する。送信部３８０および受信部３８２は、それぞれ、位置情報流通装置３から情報を送信したり、位置情報流通装置３に情報を受信するように機能する。
【００５８】
対価決定部３０２は、位置情報流通システムＳが流通させる情報の販売または購入の対価を決定する。入金指示部３０４は、対価決定部３０２が決定した販売の対価を提供ユーザの銀行口座に入金するように指示を出す。課金指示部３０６は、対価決定部３０２が決定した購入の対価を利用ユーザのクレジットカードの口座に対して課金を行うように指示を出す。
【００５９】
本発明の実施の形態に係る位置情報流通システムＳの提供端末１および利用端末２は、衛星測位システムを備えていてもよい。衛星測位システムとは、人工衛星を使用して地上の現在位置を計測することができるシステムのことである。衛星測位システムは、全地球測位システムと汎地球衛星システムとを含み、米国のＧＰＳ，欧州のＧａｌｉｌｅｏ，ロシアのＧＬＡＮＯＳＳ，日本のみちびきなどが運用または開発されている。
【００６０】
提供端末１および利用端末が衛星測位システムを備えることにより、各端末の現在位置を計測し、各端末のユーザが自身の在する位置を特定する情報を容易に取得することができる。これにより各端末のユーザは、自身の在するその場で、位置情報を容易に生成、利用できる。
【００６１】
次いで、本実施の形態に係る位置情報流通システムＳによる位置情報の流通について説明する。本発明の実施の形態にかかる位置情報流通システムＳでは、位置情報の流通に先駆けて、提供ユーザまたは利用ユーザとしての登録が必要となる。したがって、ユーザ登録をすべく、まず、提供ユーザおよび利用ユーザは、それぞれ、位置情報流通装置３から位置情報提供アプリ１００または位置情報利用アプリ２００を取得し、インストールする。次いで、インストールされた位置情報提供アプリ１００または位置情報利用アプリ２００は、ユーザ登録を案内する。
【００６２】
具体的には、位置情報提供アプリ１００は、ユーザ名、パスワード、銀行の口座情報等の提供ユーザに関する情報（以下、「提供ユーザ情報」とも称する。）を入力するように案内する。銀行の口座情報は、提供ユーザが位置情報を販売することによって得られる対価が振り込まれる銀行の店番号、口座番号等である。
【００６３】
また、位置情報利用アプリ２００は、ユーザ名、パスワード、クレジットカードの情報等の利用ユーザに関する情報（以下、「利用ユーザ情報」とも称する。）を入力し、利用ユーザ登録をする。クレジットカードの情報は、利用ユーザが位置情報を購入することによって課金される対価を引き落とすクレジットカードの会社名、クレジットカードの口座を特定するクレジットカードの番号および暗証番号等である。
【００６４】
提供ユーザ情報および利用ユーザ情報は位置情報流通装置３に送信され、登録される。位置情報流通装置３は送信された提供ユーザ情報および利用ユーザ情報を、既定の基準により判断し、既定の基準を満たせばユーザ登録を自動で承認する。承認の判断は、位置情報流通システムＳの管理者がするようにしてもよい。
【００６５】
位置情報提供アプリ１００および位置情報利用アプリ２００は、１つのアプリとしてまとめられ、位置情報端末アプリケーション（以下、「位置情報端末アプリ」とも称する。）としてインストールできるようにしてもよい。そのような場合に、例えば、位置情報端末アプリが起動されると、位置情報端末アプリは、位置情報提供アプリ１００および位置情報利用アプリ２００のいずれか一方を選択して動作させる。
【００６６】
位置情報の流通に関して、まず、提供端末１により生成された位置情報が位置情報流通装置３に蓄積されるまでの流れについて図８を参照して説明する。図８は、位置情報が、提供端末１で生成され、位置情報流通装置３に提供されるまでの流れを示すシーケンス図である。
【００６７】
位置情報の提供において、提供端末１は、位置情報および付加情報を生成する（Ｓｏ−１）。具体的には、提供端末１の情報生成部１７２は、位置情報および位置情報に付加される付加情報を生成する。詳細には、提供ユーザが、位置情報提供アプリ１００の案内に従ってラーメン店情報を提供端末１の操作装置７０タッチパネルから入力することで、位置情報および付加情報が生成される。
【００６８】
位置情報提供アプリ１００は、図９に示すような、ラーメン店情報の入力画面を表示することにより、ラーメン店情報の入力を案内する。ラーメン店情報の入力画面はラーメン店名、住所、食べたラーメン、点数、コメント等の欄を含む。
【００６９】
位置情報は、提供ユーザが提供端末１の操作装置７０から住所を入力することで情報生成部１７２により生成される。同様に付加情報は、位置情報以外の他の情報が操作装置７０から入力されることで情報生成部１７０により生成される。詳細には、住所、ラーメン店名、食べたラーメン、コメントは、タブレット端末の従来よく知られるタッチキーボードから入力され、点数は、タッチパネルのプルダウンボタンにより１〜５のうちから選択される。
【００７０】
ラーメン店情報は、他の方法により入力されてもよい。例えば、位置情報は、インターネット３を経由して、他の情報サイトから取得され、取得した位置情報を承認することにより生成されるようにしてもよい。具体的には、ラーメン店名を提供端末１の店名の欄に入力すると、入力されたラーメン店名に基づき、他の情報サイトに接続して他の情報サイトが所有する該ラーメン店の住所を取得し、該ラーメン店の住所として承認することにより生成されるようにしてもよい。また、ユーザが実際にラーメン店に在する場合に、地図アプリを利用して、自分の在する住所を特定し、該住所が位置情報として自動で入力されるようにしてもよい。
【００７１】
提供端末１は、種々のラーメン店情報を入力されることにより、複数の位置情報および、それらに、付加される付加情報が生成される。生成された付加情報は、対応する位置情報に紐づけるように加工される。また、情報生成部は、ユーザの入力した情報に加えて、情報の入力日などの他の付加情報を自動的に生成してもよい。
【００７２】
提供端末１は、生成された複数の位置情報および付加情報を蓄積する。具体的には、提供端末１の記憶部１４０は、生成された複数の位置情報および複数の付加情報を記憶する（Ｓｏ−２）。詳細には、記憶部１４０は、図１０に示すような形で、位置情報を基準にリスト化したリスト情報として位置情報および付加情報を蓄積する。
【００７３】
提供端末１は、生成された位置情報および複数の付加情報に関連する加工情報を生成する（Ｓｏ−３）。具体的には、提供端末１の情報加工部１７４は、図１１に示すような、複数の位置情報を含む提供マップ情報を表示し、各項目を入力するように案内し、提供ユーザは案内にしたがって各項目を操作部１７０から入力することにより、加工情報が生成される。すなわち、本実施の形態において、加工情報は、複数の位置情報含む1つのまとまった情報にマップタイトルのような表題を加えることで加工される。
【００７４】
本実施の形態において、提供端末１は一般ユーザが所有し、加工情報は一般ユーザにより生成された位置情報を加工して生成されている。しかし、提供端末１は、専門業者が所有してもよく、加工情報は、専門ユーザが所有する特殊な情報を加工して生成されてもよい。
【００７５】
提供マップ情報は、図１１に示すように、マップタイトル、ユーザ名、マップ紹介、複数の提供する位置情報等の欄を含み、それぞれの欄は、提供端末１の操作部１７０から入力できる。マップタイトル、ユーザ名、マップ紹介は、文字として入力でき、複数の位置情報は、記憶部１４０に蓄積されたリスト情報から選択することで入力できる。すなわち、提供ユーザは、複数の位置情報を選択して１つのまとまりを形成することで加工情報を生成できる。
【００７６】
提供端末１は、生成された加工情報を位置情報流通装置３に送信する（Ｓｏ−４）。具体的には、位置情報流通装置３が提供マップ情報を送信するように提供ユーザに案内し、提供ユーザが案内を承認することにより、提供端末１の送信部１８０は、位置情報を含む加工情報を位置情報流通装置３に送信する。詳細には、図１１の「編集情報をアップロードする」ボタンが提供端末１のディスプレイに表示され、提供ユーザが該ボタンをタッチパネルからタッチすることで提供マップ情報が送信される。
【００７７】
位置情報流通装置３は提供端末１から送信された加工情報を受信し（Ｓｏ−５）、加工情報を蓄積する（Ｓｏ−６）。具体的には、情報蓄積部３４０は、図１２に示すような編集情報として、提供マップ情報のマップタイトルを基準にリスト化して複数の加工情報を蓄積する。情報蓄積部３４０は、ラーメン店情報の他にも、他の提供ユーザから提供されたマップ情報（例えば、マップタイトルが「神戸市おすすめパン屋」とされた情報）を蓄積する。提供マップ情報に含まれる各位置情報には、付加情報が紐づけされている。
【００７８】
蓄積された提供マップ情報に含まれる位置情報は、種々の形に加工されてもよい。例えば、所定の地域に存在するラーメン店を位置情報から特定し、その中から付加情報に所定のラーメンをメニューとするラーメン店の情報を収集するように加工する。これにより、例えば、大阪地域の味噌ラーメンに特化した地図情報、すなわち大阪味噌ラーメンマップを加工することもできる。
【００７９】
このような所定の地域ラーメン店情報は、領域情報として表示することができ、例えば、ラーメン店の密集度合いによって領域を色分けしたマップに加工されてもよい。また、例えば、複数のラーメン店の位置情報を基に、複数のラーメン店間の移動経路、すなわちラーメン店梯子経路を線情報として地図上に表示できるように加工してもよい。
【００８０】
本実施の形態に係る位置情報流通システムＳでは、１つの提供端末１が位置情報を生成および加工している。しかし、２つの情報処理装置を準備し、１つの情報処理装置で位置情報を生成し、他の情報処理装置で位置情報を加工するようにしてもよい。例えば、スマートフォンのような携帯型端末で位置情報を生成し、ＰＣのような固定型端末で位置情報を加工するようにしてもよい。そのようにすれば、移動先で携帯型端末により、その場の位置情報を即時に生成し、帰宅後に、操作性の高い固定端末で位置情報を加工することができる。
【００８１】
位置情報の流通に関して、次に、位置情報流通システムＳに蓄積された位置情報が利用端末２で表示されるまでについて説明する。図１３は、位置情報が、位置情報流通装置３から利用端末２に送信され、表示されるまでの流れを示すシーケンス図である。
【００８２】
利用端末２は、位置情報流通装置３から、編纂情報である提供マップ情報のマップタイトルの一覧を要求する（Ｓｕ−１）。具体的には、位置情報利用アプリ２００を起動することで、マップタイトルの一覧を送信するように利用端末２から位置情報流通装置３に自動的に要求される。
【００８３】
位置情報流通装置３は、利用端末２からの要求に応じて提供マップ情報のマップタイトルの一覧(編纂情報)を送信する（Ｓｕ−２）。具体的には、位置情報流通装置３の情報編纂部３５０は、情報蓄積部３４０に蓄積された提供マップ情報の多数のマップタイトルのうち、選別された一部のマップタイトルを編纂し、送信部３８０が編纂されたマップタイトルの一覧を編纂情報として送信する。
【００８４】
送信するマップタイトルの一覧の選別は、例えば、利用端末２が在する位置に近い位置情報を多数包含する提供マップ情報のマップタイトルを選別してもよい。また、例えば、利用端末２の操作部からキーワードを入力し、キーワードに関連するジャンルのマップタイトルを選別してもよい。さらに、それらを複合した条件にて選別してもよいし、他の条件により選別してもよい。
【００８５】
利用端末２は、編纂情報を受信し、表示する（Ｓｕ−３）。具体的には、利用端末２の受信部２８２がマップタイトルの一覧を受信し、利用端末２の表示装置６０が、図１４に示すような加工情報である提供マップ情報のマップタイトルの一覧を表示する。
【００８６】
利用ユーザは、所望の提供マップ情報(加工情報)を選択し、要求する（Ｓｕ−４）。具体的には、図１４に示されるマップタイトルの一覧(編纂情報)から、提供マップ情報を取得したいマップタイトルを操作措置７０であるタッチパネルからタッチすることで選択される。詳細には、マップタイトルをタッチすると、マップタイトルに付随するユーザ名、マップ紹介等の付随情報が閲覧可能となり、利用ユーザは、それらの情報に基づいて取得する提供マップ情報を選択する。これにより、利用端末２は、選択された提供マップ情報を位置情報流通装置３に要求する。
【００８７】
位置情報流通装置３は、要求された提供マップ情報(加工情報)を送信する（Ｓｕ−５）。具体的には、位置情報流通装置３の送信部３８０が、提供マップ情報に含まれる位置情報に紐づけされた付加情報と共に送信する。
【００８８】
利用端末２は、位置情報流通装置３から提供マップ情報(加工情報)を受信する（Ｓｕ−６）。具体的には、利用端末２の受信部２８２が、位置情報および付加情報を含む提供マップ情報を受信し、記憶部２４０に記憶する。
【００８９】
利用端末２は、提供マップ情報(加工情報)を表示する（Ｓｕ−７）。具体的には、利用端末２の情報変換部２５０が提供マップ情報に含まれる位置情報を地図上に表示できる表示情報に変換し、図１５に示すように、表示情報が利用端末２に表示された地図上に表示する。表示情報は、従来よくしられる情報変換方法により位置情報に基づいて変換される（例えば、特開２０１４−２１１６７号公報を参照）。
【００９０】
本実施の形態において、位置情報は、地図にピンＰ（表示情報）として表示される。また、付加情報は、位置情報に紐づけされており、図１５に示すように、地図上に表示させたピンＰに付加して表示されてもよい。
【００９１】
このような位置情報の提供から利用において、位置情報流通装置３は、従来よく知られる売買システムにより、利用端末２のクレジットカード口座に引き落としの手続きおよび、提供端末１の銀行口座に振り込みの手続きをとる。位置情報流通装置３の位置情報流通アプリ３００は、位置情報の対価を決定する対価決定部３０２、振り込みの手続をする入金指示部３０４、かつ引き落としの手続をする課金指示部３０６として機能し、これにより、位置情報流通システムＳは、情報の流通に対価を伴う一種の情報売買システムとして機能する。
【００９２】
位置情報流通システムＳによる情報の流通は対価を伴うため、提供ユーザは対価のために積極的に情報を提供しようというインセンティブが働き、位置情報装置３は、多くの情報を収集することができる。また、多くの情報が位置情報流通装置３に収集されることにより、利用端末２のユーザは多くの情報から対価に見合う必要な情報を選択的に取得することができる。
【００９３】
位置情報流通システムＳでは、位置情報を含む加工情報すなわち提供マップ情報として情報が流通する。すなわち、位置情報が単純に地図上のピンとして表示されるわけではなく、図１６に示すように、地図Ｍに複数の位置情報を含む情報が表示された仮想的なレイヤーＲが形成され、地図ＭにレイヤーＲの情報が投影されることにより、地図上に複数の位置情報であるピンＰが表示情報として表示される。
【００９４】
本実施の形態において、提供マップ情報ごとに１つのレイヤーＲとして、地図上に投影される。これにより、利用端末２は、編纂情報を閲覧し、編纂情報から所望の提供マップを取得し、複数の提供マップ情報を複数のレイヤーＲとして、地図Ｍに投影することができる。
【００９５】
したがって、位置情報流通システムＳは、個別に位置情報を扱う場合に比べて、まとまりのある位置情報を提供マップ情報として利用することで、位置情報を効率よく管理、表示できる。これにより、専門の業者がまとめた情報を取得しなくとも、所望の地図を端末上で作成できる。さらに、利用端末２は、複数の提供マップ情報を入手することで、地図上に複数のレイヤーＲを重ねた自分専用の地図（マップ）、いわゆるマイマップを形成することができる。
【００９６】
本実施の形態において、位置情報は、住所を入力することにより生成されている。しかし、位置情報は、他の方法により生成されてもよい。例えば、地図上の点と点を結ぶ線をなぞるように操作部を操作することにより、経路が特定されて線情報の位置情報が生成されてもよい。また、例えば、ある範囲を囲おうってなぞるように操作部を操作することにより、領域が特定されて面情報の位置情報が生成されてもよい。
【００９７】
本実施の形態において、情報加工部１７４は、提供端末１の機能構成として設けられている。しかし、情報加工部１７４は、位置情報流通装置３に設けられ、提供端末１は位置情報の生成のみを行い、位置情報流通装置３が位置情報を加工してもよい。同様に、情報変換部２５０は、利用端末２の機能構成として設けられている。しかし、情報変換部２５０は、位置情報流通装置３に設けられ、位置情報流通装置３が位置情報を表示情報に変換し、利用端末２に送信するようにしてもよい。このように、位置情報流通システムに含まれる各機能構成は、提供端末１、利用端末２および位置情報流通装置３のそれぞれに設けられていてもよい。
【００９８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【産業上の利用可能性】
【００９９】
本発明は、位置情報の流通に利用できる。
【符号の説明】
【０１００】
Ｓ    位置情報流通システム
Ｍ    地図
Ｒ    レイヤー
１    提供端末
２    利用端末
３    位置情報流通装置
４    インターネット
１７２    情報生成部
１７４    情報加工部
２６０    情報表示部
３０２    対価決定部
３０４    入金指示部
３０６    課金指示部
３４０    情報蓄積部
３５０    情報編纂部
【図１】
2017126234.tif 000003
【図２】
2017126234.tif 000004
【図３】
2017126234.tif 000005
【図４】
2017126234.tif 000006
【図５】
2017126234.tif 000007
【図６】
2017126234.tif 000008
【図７】
2017126234.tif 000009
【図８】
2017126234.tif 000010
【図９】
2017126234.tif 000011
【図１０】
2017126234.tif 000012
【図１１】
2017126234.tif 000013
【図１２】
2017126234.tif 000014
【図１３】
2017126234.tif 000015
【図１４】
2017126234.tif 000016
【図１５】
2017126234.tif 000017
【図１６】
2017126234.tif 000018